(57)【要約】【課題】ディスクパブリッシャを停止するときにそのストック部に出力済みのディスクが滞留しないようにする。特に複数の利用者でディスクパブリッシャを共有するときに、全ての利用者の作成済みディスクがストック部に不用意に取り残されることを防止する。【解決手段】ディスクパブリッシャ１に停止信号が入力されたとき、ストック部３に出力済みディスクが存在するか否かを枚数検知装置５で検知する。出力済みディスクが存在するときは、その旨をクライアント９Ａ〜９Ｎ及び１０へ通知し、好ましくは所定の待ち時間Ｔｗ経過後に、ディスクパブリッシャの電源を停止する。【選択図】図５
2007188607.tif 000002
【特許請求の範囲】
【請求項１】
複数のクライアントに連結可能なディスクパブリッシャであって、ストック部における出
力済みディスクの有無を検出する検出装置と、
停止信号が入力されたとき、該検出装置の検出結果を確認し、前記ストック部に出力済
みディスクが存在するときは利用者に通知を行ない、その後に停止動作を行なう制御装置
と、を備えることを特徴とするディスクパブリッシャ。
【請求項２】
前記制御装置は通知から所定時間経過後に停止動作を行なう、ことを特徴とする請求項１
に記載のディスクパブリッシャ。
【請求項３】
前記制御装置はサーバを備え、前記ストック部に出力済みのディスクが存在するときは該
サーバに接続されるクライアントに第１のメッセージを送信する、ことを特徴とする請求
項１又は２に記載のディスクパブリッシャ。
【請求項４】
前記サーバが前記第１のメッセージを送信したクライアントからの確認メッセージを受け
取った後に、前記制御装置は停止動作を行なう、ことを特徴とする請求項３に記載のディ
スクパブリッシャ。
【請求項５】
前記ストック部に存在する出力済みディスクとその作成者を特定する情報を保存する保存
装置が更に備えられ、
前記サーバは該保存装置に保存された情報を参照し、該出力済みディスクの作成者のク
ライアントへ第２のメッセージを送信する、ことを特徴とする請求項３又は４に記載のデ
ィスクパブリッシャ。
【請求項６】
前記サーバはデータ受送信中のクライアントに対して第３のメッセージを送信する、こと
を特徴とする請求項３〜５のいずれかに記載のディスクパブリッシャ。
【請求項７】
前記サーバは管理者のクライアントに対して第４のメッセージを送信する、ことを特徴と
する請求項３〜６のいずれかに記載のディスクパブリッシャ。
【発明の詳細な説明】
【技術分野】
【０００１】
この発明はディスクパブリッシャに関する。
【背景技術】
【０００２】
ディスクパブリッシャには複数の未記録ディスク（ＣＤ−ＲやＤＶＤ−Ｒなど）が予め
準備されており、ユーザの命令に応じてこの未記録ディスクを情報書込み用ドライブへ挿
入して当該未記録ディスクの情報記録面へディジタル情報を書き込む。当該書込み処理が
終了したディスクはドライブから取出されてストックされる。以上の一連の動作は自動的
に行なわれる。
またこのディスクパブリッシャにはディスクのレーベル面へ印刷を施す機能を有するも
のもある。
このように、要求されるディスク処理のスループットに応じてディスクパブリッシャに
は複数の情報書込み用ドライブが設置されている。
以上、ディスクパブリッシャの従来例として特許文献１を参照されたい。
【特許文献１】特開２０００−２６０１７２号公報
【発明の開示】
【発明が解決しようとする課題】
【０００３】
ディスクパブリッシャにより未記録ディスクへ書込まれた情報には価値があり、また秘
密にすべきものがある。従って、ディスクパブリッシャを停止させて未記録ディスクへの
情報書込み作業を終了する前には、ディスクパブリッシャから出力済み（処理済み）のデ
ィスクを取出しておく必要がある。
しかしながら、ディスクパブリッシャの利用者によっては、作業終了してディスクパブ
リッシャから離れる前に出力済みのディスクの取出しを忘れてしまうおそれがある。
他方、かかるディスクパブリッシャはコンピュータネットワークにおいて複数の利用者
（クライアント）によって共有されることが多い。従って、一人の利用者がディスクパブ
リッシャを停止したとき、他の利用者の出力済みディスクがストック部に残されたままに
されるおそれがある。
即ち、この発明は、ディスクパブリッシャを停止するときにそのストック部に出力済み
のディスクが滞留しないようにすることを解決すべき一つの課題とする。特に、複数の利
用者でディスクパブリッシャを共有するとき、全ての利用者の作成済みディスクがストッ
ク部に不用意に取り残されることを防止することを他の解決すべき課題とする。
セキュリティの関係上、停止状態のディスクパブリッシャからは出力済みのディスクの
取出しが禁止されている。従って、ストック部に残されたままのディスクの作成者はディ
スクパブリッシャを再起動させなければならないので、作業効率が低下する。
よって、この発明の他の解決すべき課題は、出力済みのディスクを不用意に残存させる
ことを防止することにより、ディスクパブリッシャの作業効率を向上させることにある。
【課題を解決するための手段】
【０００４】
この発明は上記課題を解決すべくなされたものであり、その第１の局面は次のように規
定される。即ち、
複数のクライアントに連結可能なディスクパブリッシャであって、ストック部における
出力済みディスクの有無を検出する検出装置と、
停止信号が入力されたとき、該検出装置の検出結果を確認し、前記ストック部に出力済
みディスクが存在するときは利用者に通知を行ない、その後に停止動作を行なう制御装置
と、を備えることを特徴とするディスクパブリッシャ。
【０００５】
このように構成されたディスクパブリッシャによれば、停止信号が入力されたときスト
ック部に出力済みのディスクが存在すると、先ずはその旨を利用者に通知する。即ち、停
止したディスクパブリッシャに出力済みのディスクが放置されることの警告を行なう。そ
してその後に、ディスクパブリッシャを停止させる。
このように通知が行なわれることにより、重要な情報を含むディスクの作成者は、ディ
スクパブリッシャが停止する前にそのディスクを取出すことができる。また、ディスク作
成の作業を続行する利用者はディスクパブリッシャの停止をキャンセルすることができる
。
【０００６】
この発明の第２の局面は次のように規定される。即ち、
第１の局面のディスクパブリッシャにおいて、前記制御装置は通知から所定時間経過後
に停止動作を行なう。
このように構成されたディスクパブリッシャによれば、停止するに際しストック部に出
力済みディスクが残存することの通知と、ディスクパブリッシャのＯＦＦとの間に所定の
待ち時間が設定される。これにより、ストック部に残存したディスクを取出す時間的余裕
が生じる。また、他の利用者はこの待ち時間を利用して自身の作業を続行するか否か、即
ち、ディスクパブリッシャを停止させるか否か、を判断することができる。
【０００７】
この発明の第３の局面は次のように規定される。即ち、
第１又は第２の局面のディスクパブリッシャにおいて、前記制御装置はサーバを備え、
前記ストック部に出力済みのディスクが存在するときは該サーバに接続されるクライアン
トに第１のメッセージを送信する。
このように構成されたディスクパブリッシャによれば、メッセージ形式で通知がなされ
るので、通知の内容をより具体的かつ正確に利用者へ伝えることができる。
なお、メッセージを送信するには例えばメールをクライアントへ送信する。メール以外
にも、クライアントのコンピュータの画面にポップアップ形式で当該メッセージを表示さ
せることができる。
【０００８】
この発明の第４の局面は次のように規定される。即ち、
第３の局面のディスクパブリッシャにおいて、前記サーバが前記第１のメッセージを送
信したクライアントからの確認メッセージを受け取った後に、前記制御装置は停止動作を
行なう。
このように構成されたディスクパブリッシャによれば、第１のメッセージ（出力済みデ
ィスクを残存した状態での停止確認）に対して所定の待ち時間の間にクライアントから停
止を許容する旨の確認メッセージのみを受け取ったことを条件にしてディスクパブリッシ
ャを停止する。停止の不許可メッセージを受け取ったときは、ディスクパブリッシャの停
止をキャンセルする。
これにより、不意の停止を未然に防止することができることとなり、作業効率が向上す
る。
【０００９】
この発明の第５の局面は次のように規定される。即ち、
第３又は第４の局面のディスクパブリッシャにおいて、前記ストック部に存在する出力
済みディスクとその作成者を特定する情報を保存する保存装置が更に備えられ、前記サー
バは該保存装置に保存された情報を参照し、該出力済みディスクの作成者のクライアント
へ第２のメッセージを送信する。
このように構成されたディスクパブリッシャによれば、ストック部に存在するディスク
の作成者が特定され、当該作成者のクライアントコンピュータへのみストック部にディス
クが残されたまま停止される旨の第２のメッセージが送信される。従って、ディスクがス
トックされていないユーザには当該第２のメッセージが送信されない。これにより、不要
な情報発信を省きつつ、ディスクパブリッシャの状態をより正確に利用者へ知らせること
ができる。
【００１０】
この発明の第６の局面は次のように規定される。即ち、
第３〜第５のいずれかの局面のディスクパブリッシャにおいて、前記サーバはデータ受
送信中のクライアントに対して第３のメッセージを送信する。
このように構成されたディスクパブリッシャによれば、サーバに連結されてデータの送
受信が可能なクライアント、即ちこのときに稼働中のクライアントに対して第３のメッセ
ージを送信する。この第３のメッセージは緊急にディスク取出しを要求するものであり、
この場合は稼働中のクライアントへ送信することにより効果があるからである。停止中の
クライアントへメッセージを送っても、そこにはディスク作成者（または利用者）がいな
いので、緊急事態に対応できないからである。
【００１１】
この発明の第７の局面は次のように規定される。即ち、
第３から第６のいずれかの局面のディスクパブリッシャにおいて、前記サーバは管理者
のクライアントに対して第４のメッセージを送信する。
このように構成されたディスクパブリッシャによれば、管理者に特定の第４のメッセー
ジを送信することにより、ストック部の状態を管理者へ確実に通知することができる。第
４のメッセージの内容として、ストック部に滞留しているディスクの作成者のリスト及び
枚数などが挙げられる。
【発明を実施するための最良の形態】
【００１２】
以下、この発明を構成する各要素について説明をする。
ディスクパブリッシャは、未記録ディスク（ＣＤ−ＲやＤＶＤ−Ｒなど）を保持するデ
ィスク供給部、未記録ディスクの情報記録面へディジタル情報を記録するドライブ、記録
されたディスクを保存するストック部及びディスクの搬送機構を備えてなる。更には、デ
ィスクのレーベル面へ印刷を施すレーベル印刷部を備えることもできる。
ストック部に存在するディスクの枚数は、ストック部に対するディスクの入量とストッ
ク部からのディスクの出量をモニタリングして両者の差分をとることにより、検知するこ
とが出来る。
ストック部に出力済みのディスクが残存したときに利用者に対してなされる通知の方法
はメール、ポップアップ画面の表示など電子情報の送受信に限定されるものではなく、パ
トランプ等のランプを点滅させたり、警報音を発生したりするなど物理的な方法を採用す
ることもできる。
また、ストック部に光学センサなどをセットして、ストック部におけるディスクの存在
を物理的に検知することもできる。
【００１３】
作成者のクライアントからディスクパブリッシャへの処理要求とストック部からの取出
しの履歴を記録することにより、ストック部に存在する出力済みのディスクとその作成者
を特定することができる。これにより、ストック部に滞留しているディスクの作成者のみ
に第２のメッセージを送信して、その取出し要求を行なうことができる。
緊急を要するときは、ディスクパブリッシャに接続されてデータの受送信が可能なクラ
イアント（オン状態のクライアント）を選択し、当該クライアントへのみ取出し要求のメ
ッセージ（第３のメッセージ）を送信することができる。
管理者にも、ストック部に存在する出力済みのディスクとその作成者を第４のメッセー
ジとして送信することができる。
【実施例】
【００１４】
以下、この発明を実施例に基づき更に詳細に説明する。
（第１実施例）
図１は第１の実施例のディスクパブリッシャ１の概略構成図である。
このディスクパブリッシャ１は書込み処理の施されたディスクのストック部３を備え、
ストック部３に存在するディスクの枚数は枚数検知装置５により検知されて第１の制御信
号が形成される。この第１の制御信号はディスクパブリッシャに組み込まれたサーバ７へ
送られる。サーバ７は第１の制御信号に応じてディスクパブリッシャ１の利用者９Ａ〜９
Ｃに所定の通知を行なう。
【００１５】
ディスクパブリッシャ１の詳細構成を図２及び図３に示す。
図２はディスクパブリッシャの本体２０を示す。未記録ディスクＣＤはディスク供給部
２１に積層保持されており、この未記録ディスクＣＤはトランスファー装置２３により取
出される。トランスファー装置２３はクランパ２４により未記録ディスクＣＤを着脱可能
とする。未記録ディスクＣＤは書込みドライブ２５−１〜２５−３のいずれかへ挿入され
、その情報記録面へディジタル情報が書込まれる。書込み処理の終了したディスクは書込
みドライブから取出されて、レーベルプリンタ２７へ挿入され、そのレーベル面へ印刷が
施される。
レーベル印刷が終了したディスクはストック部２９へ積層される。ストック部２９には
蓋部３１が付設されており、書込み処理終了後のディスクの不正取出しを防止している。
【００１６】
ディスクパブリッシャの制御系を図３に示す。
制御部４０はＣＰＵを備え、プログラム保存部５１に保存されている制御プログラムに
従い各要素を制御する。
カードリーダ４１へ利用者のＩＤカードが通される。カードリーダ４１よりＩＤカード
に保存されている情報が読み出されてその利用者が特定される。特定された利用者が作成
したディスクがストック部２９に存在する場合、当該ディスクがストック部２９より取出
される。
ランプ４５は第１の制御信号に応じて点灯（若しくは点滅）する。これにより、ストッ
ク部２９における作成済みディスクの枚数が第１のしきい値を超えたとき、ランプ４５が
点灯して、作成済みディスクの滞留量が多くなった旨を利用者全員に知らせる。
【００１７】
符号４７はネットワークインターフェースであり、管理者用のＰＣからなるクライアン
ト１０、ディスク作成用のクライアント９Ａ〜９Ｎが接続されている。
保存部５０はプログラム保存部５１を備え、このプログラム保存部５１には制御部４０
のＣＰＵを動作させる制御プログラムが保存されている。
しきい値保存部５２には第１のしきい値と第２のしきい値が保存されている。この実施
例では第１のしきい値として、ストック部２９にストック可能な最大枚数の６０％の枚数
を採用している。第２のしきい値として１枚を採用している。
メッセージ保存部５４にはクライアントへ送信する各種のメッセージが保存されている
。
【００１８】
次に、この実施例のディスクパブリッシャの動作について図４を参照しながら説明する
。
ステップ１では、ストック部２９に滞留している作成済みディスクの枚数を特定する。
この実施例では、表１のようにディスクの作成及びその取出し履歴が記録されて処理履歴
保存部５３に保存されている。
【表１】
2007188607.tif 000003
【００１９】
表１においては作成者により取出された日時も記録されている。更には、管理者が強制
的にストック部２９からディスクを取出したか否か及び管理者が取出したときにはその日
時も記録される。
そして、処理ディスクの通算枚数（＝処理ディスクＮｏ．）より当該処理ディスクＮｏ
．までの作成者取出枚数（ΣＹ）及び管理者取出枚数（ΣＹ）を減算すると、ストック部
２９に残存するディスクの枚数が特定される。表１の右端欄を参照されたい。
【００２０】
ステップ３ではストック部２９に存在する作成済みディスクの枚数ｍと第１のしきい値
ＭＴ１とを比較する。この実施例ではストック部２９のディスク容量が５０枚であるので
、ストック部２９における作成済みディスクの残存枚数がその８０％（＝４０枚）となっ
たとき、第１の制御信号が生成される。しきい値の値は入力部４３を介して任意に設定可
能である。
この第１の制御信号により、ランプ４５が点灯する（ステップ５）。更には、第１の制
御信号に応じた第１のメッセージがメッセージ保存部５４から読み出されて、利用者用の
クライアント９Ａ〜９Ｎへメールとして発信される（ステップ７）。第１のメッセージは
利用者全員に作成済みディスクの取出しを要求するものである。
【００２１】
ディスク作成者である利用者がストック部２９よりディスクを取出すときには、作成者
のＩＤを特定できるカードをカードリーダ４１に読取らせる。例えば、表１において作成
者ＡがそのＩＤカードをカードリーダ４１へ通すと、制御部４０は処理履歴保存部５３に
保存されている表１の関係を参照し、作成者がＡであり、作成者取出及び管理者取出がい
ずれも「Ｎ」であるディスクＮｏ．を抽出する。当該ディスクは、ストック部２９に存在
するディスクの上から数えて、該当するディスクの残存枚数の値「ｍ」番目に存在する。
この状態で、入力部４３を介して取出確認コマンドが入力されたとき、蓋部３１を開放
して、トランスファー装置２３により当該上からｍ番目のディスクを取出すこととなる。
【００２２】
（第２実施例）
図５に他の実施例のディスクパブリッシャの概略構成を示す。図５において図１と同一
の要素には同一の要素を付してその説明を省略する。
この実施例では情報保存装置８を備えており、当該情報保存装置８には例えば既述の表
１の関係が保存されている。当該表１の関係から、ストック部に残存する作成済みディス
クの作成者が特定される。特定された作成者に対して第２のメッセージが送信される。他
方、管理者には特定された作成者とその枚数が第４のメッセージとして送信される。管理
者には表１のデータを提供するようにしてもよい。
【００２３】
第２の実施例のディスクパブリッシャの動作について図６のフローチャートに従い更に
詳細に説明する。図６において、図４と同一の動作を行なう部分には説明の便宜上同一の
符号が付してある。
ステップ１１では、処理履歴保存部５３に保存されている表１の関係を参照して、ストッ
ク部２９に残存するディスクの作成者を特定し、また、作成者毎の残存枚数もカウントす
る。そして、ステップ１３において特定された作成者のみに第２のメッセージをメール形
式で発信し、作成済みディスクの取出し要求を行なう。表１の例において、作成者Ｃはス
トック部２９から自身で作成したディスクの全てを取出しているので、当該作成者Ｃには
第２のメッセージは送信されない。
なお、図６において、第１のメッセージの送信（ステップ７）はこれを省略可能である
。
【００２４】
このとき、クライアントの画面にポップアップ形式で第３のメッセージを表示させるこ
とにより、その緊急性を利用者に知らしめることができる。ポップアップ表示を採用する
場合には、ディスクパブリッシャとデータの受送信が可能であるクライアント（即ち、オ
ン状態のクライアント）のみに当該第３のメッセージが送信されることとなる。
【００２５】
この実施例ではまた、管理者のクライアント１０にメール形式の第４のメッセージを送
信する（ステップ１５）。第４のメッセージには、ストック部２９に滞留しているディス
クの作成者及びその作成枚数が含まれている。これにより、管理者は作成者に対して個別
に指示を出すことができることとなる。
【００２６】
（第３実施例）
他の実施例におけるディスクパブリッシャの動作を図７のフローチャートを参照して説
明する。なお、ディスクパブリッシャの構成は図２及び図３に示したものと同一である。
また、図７において図６と同一の動作を示すステップには同一の符号を付してその説明を
省略する。
図７において、ディスクパブリッシャが起動されると（ステップ２０）、ストック部２
９に存在する作成済みディスクの枚数ｍが検知される（ステップ１）。この枚数ｍが前回
終了時のストック部２９のディスク枚数と比較され、両者が異なるときは管理者へアラー
ムのメッセージが送信される（ステップ２３）。両者が一致するときはステップ２５へ進
む。ステップ２５では、図６のフローチャートに示される処理が実行される。
【００２７】
ディスクパブリッシャを停止させるべく、停止スイッチ等が操作されて停止コマンドが
入力されると（ステップ２７）、ステップ２９においてストック部２９に出力済みのディ
スクが存在するか否かが確認される。ディスクがストック部２９に存在するときは、当該
残存するディスクの枚数を処理履歴保存部５３に保存する。その後、ストック部２９に残
存するディスク、即ち未取出しのディスクの存在を通知するメッセージを全てのクライア
ント９Ａ〜９Ｎ及び１０へ発信する（ステップ３１）。
当該メッセージを発信した後、Ｔｗ時間（例えば５分）経過する間も停止コマンドが維
持されていれば、ディスクパブリッシャの電源をオフとする（ステップ６０）。当該待ち
時間Ｔｗの間に停止コマンドが解消されたときには、ステップ２５へ戻り、ディスクパブ
リッシャを通常モードで運転可能とする。以上、ステップ４１、４３，４５を参照された
い。
待ち時間Ｔｗを設定することにより、ストック部からディスクを取出すための余裕時間
が得られることとなる。また、待ち時間Ｔｗ中に取出すことができないときは、ディスク
パブリッシャの停止動作自体をキャンセルすることができる。不意の停止を防止すること
により、一旦ディスクパブリッシャを停止させた後に再度起動することに比べて、作業効
率が大幅に向上する。
【００２８】
（第４実施例）
図８に他の実施例のディスクパブリッシャの動作を示す。なお、図７のフローチャート
と同一の動作を行なうステップには同一の符号を付してその説明を省略する。
この実施例では、ステップ４７において、クライアントから停止不許可のメッセージが
返信されたとき、ディスクパブリッシャの停止を強制的に終了して通常モード（ステップ
２５）に戻すこととしている。なお、当該停止不許可のメッセージが有効に機能するのは
待ち時間Ｔｗの間だけであり、この待ち時間Ｔｗが経過したときには、ステップ４５で停
止コマンド自体がキャンセルされない限り、ディスクパブリッシャの電源が停止されるこ
ととなる。
【００２９】
上記において、ストック部２９に未取出しディスクが存在したまま電源オフとなる直前
に、表１を参照して当該ディスクとその作成者を特定し、そのリストを管理者のクライア
ントへ送信することが好ましい（ステップ５０）。これにより、ディスクパブリッシャの
停止中にそのストック部２９に滞留するディスクを管理することができる。
【００３０】
この発明は、上記発明の実施の形態及び実施例の説明に何ら限定されるものではない。
特許請求の範囲の記載を逸脱せず、当業者が容易に想到できる範囲で種々の変形態様もこ
の発明に含まれる。
【図面の簡単な説明】
【００３１】
【図１】図１はこの発明の第１の実施例のディスクパブリッシャの概略構成を示す。
【図２】図２は同じくディスクパブリッシャ本体の正面図である。
【図３】図３は同じくディスクパブリッシャの制御系を説明するためのブロック図である。
【図４】図４は第１の実施例のディスクパブリッシャの動作を示すフローチャートである。
【図５】図５はこの発明の第２の実施例のディスクパブリッシャの概略構成を示す。
【図６】図６は同じく第２の実施例のディスクパブリッシャの動作を示すフローチャートである。
【図７】図７はこの発明の第３の実施例のディスクパブリッシャの動作を示すフローチャートである。
【図８】図８はこの発明の第４の実施例のディスクパブリッシャの動作を示すフローチャートである。
【符号の説明】
【００３２】
１  ディスパブリッシャ、  ３，２９  ストック部、  ５  枚数検知装置、  ７  サーバ
、  ９Ａ，９Ｂ，９Ｃ  利用者用クライアント、  １０  管理者用クライアント、  ２０
ディスクパブリッシャ本体、  ２１  ディスク供給部、  ２３  トランスファー装置、
２９  ストック部、  ４０  制御部
【図１】
2007188607.tif 000004
【図２】
2007188607.tif 000005
【図３】
2007188607.tif 000006
【図４】
2007188607.tif 000007
【図５】
2007188607.tif 000008
【図６】
2007188607.tif 000009
【図７】
2007188607.tif 000010
【図８】
2007188607.tif 000011